(57)【特許請求の範囲】
【請求項１】
少なくとも透液性表面シート、不透液性裏面シートおよびこの透液性表面シートと不透液性裏面シートとの間に配設された吸収体とを有する吸収性物品本体を備え、
前記吸収性物品本体には前記吸収体の幅方向両外側に長手方向に沿ってフラップ部をそれぞれ形成し、
このフラップ部に複数の弾性体をこの吸収性物品本体の長手方向に沿って配設し、
前記吸収性物品本体にはこの吸収性物品本体の長手方向の両端側を重ね合わせて略円錐形状に保持する固着部を設け、
前記吸収性物品本体にはこの略円錐形状に保持した吸収性物品本体の拡開側に位置する前記吸収体の幅方向の側縁より外側位置で、前記複数の弾性体の間に位置して前記フラップ部の長手方向の略中央部に切り込み部を形成した
ことを特徴とする男性用使い捨て吸収性物品。
【請求項２】
吸収体には略円錐形状に保持した吸収性物品本体の拡開側に位置する幅方向の側縁の略中央部に切り欠き凹部を形成し、この切り欠き凹部に臨ませて前記吸収性物品本体に切り込み部を形成したことを特徴とする請求項１記載の男性用使い捨て吸収性物品。
【請求項３】
フラップ部は、吸収性物品本体の吸収体の幅方向両外側に長手方向に沿って形成した第１のフラップとこの第１のフラップの上側に配設された第２のフラップを含み、この第２のフラップに切り込みを形成したことを特徴とする請求項１または２記載の男性用使い捨て吸収性物品。
【請求項４】
吸収性物品本体の不透液性裏面シートは合成樹脂フィルムの外面側に不織布を重合したことを特徴とする請求項１ないし３のいずれかに記載の男性用使い捨て吸収性物品。
【発明の詳細な説明】
【０００１】
【発明の属する技術分野】
本発明は乳幼児用、大人用あるいは失禁用などの男性用使い捨て吸収性物品に関する。
【０００２】
【従来の技術】
従来のこの種の失禁用パッドなどの吸収性物品では、例えば特開平８−２８０７２７号公報に記載されているように、吸収性物品本体は透液性表面シートとポリオレフィンなどの合成樹脂フィルムにて形成した不透液性裏面シートとの間に吸収体を介在し、この吸収性物品本体を長手方向の両端側を重ね合わせて粘着して略円錐形状にして使用する構成が知られている。
【０００３】
【発明が解決しようとする課題】
上記従来の男性用使い捨て吸収性物品では、吸収性物品本体を長手方向の両端側を重ね合わせて粘着して略円錐形状にし、この略円錐形状にした吸収性物品本体にて男性器官を覆うように装着して使用した場合、吸収性物品本体が位置ずれし易く、吸収性物品本体の位置ずれによって尿漏れが生ずる問題を有している。
【０００４】
また、ポリオレフィンなどの合成樹脂フィルムにて形成した不透液性裏面シートでは通気性がないため、蒸れが生じて肌にかぶれが発症する問題があった。
【０００５】
さらに、吸収性物品本体を長手方向の両端側を重ね合わせて略円錐形状に保形することが難しく、装着に手数が掛かり、また、略円錐形状にした吸収性物品本体の先端部に隙間が生じることもあり、尿漏れの原因となる問題があった。
【０００６】
本発明は、上記問題点に鑑みなされたもので、略円錐形状にした吸収性物品本体が確実に装着されるようにして尿漏れを防止できる男性用使い捨て吸収性物品を提供するものである。
【０００７】
【課題を解決するための手段】
請求項１記載の発明の男性用使い捨て吸収性物品は、少なくとも透液性表面シート、不透液性裏面シートおよびこの透液性表面シートと不透液性裏面シートとの間に配設された吸収体とを有する吸収性物品本体を備え、前記吸収性物品本体には前記吸収体の幅方向両外側に長手方向に沿ってフラップ部をそれぞれ形成し、このフラップ部に複数の弾性体をこの吸収性物品本体の長手方向に沿って配設し、前記吸収性物品本体にはこの吸収性物品本体の長手方向の両端側を重ね合わせて略円錐形状に保持する固着部を設け、前記吸収性物品本体にはこの略円錐形状に保持した吸収性物品本体の拡開側に位置する前記吸収体の幅方向の側縁より外側位置で、前記複数の弾性体の間に位置して前記フラップ部の長手方向の略中央部に切り込み部を形成したものである。
【０００８】
そして、吸収性物品本体を長手方向の両端側を重ね合わせて固着部で固着することにより吸収性物品本体は、この吸収性物品本体の長手方向に沿った一側縁が拡開側となり他端縁が閉じられた略円錐形状に保持され、この略円錐形状に保形された吸収性物品本体のフラップ部の長手方向の略中央部に形成されている切り込み部に不透液性裏面シートの外側から内方に向けて男性器官を挿通して男性器官を覆うことができ、吸収性物品本体は位置ずれすることがなく、尿の漏れを確実にできる。
【０００９】
さらに、吸収性物品本体のフラップ部には弾性体が配設されているため、このフラップ部は皺状のギャザーとなって男性器官に柔らかく接触して肌触りよく保持される。
【００１０】
しかも、吸収性物品本体のフラップ部に形成した切り込み部は複数の弾性体の間に位置して形成されているので、切り込み部に挿通された男性器官は弾性体で収縮しているフラップ部で挟まれ、確実に装着位置に保持され、尿は吸収性物品本体の透液性表面シートから拡散されて吸収体に吸収され、また、尿は不透液性裏面シートにより吸収性物品本体から漏れ出ることがない。
【００１１】
請求項２記載の発明の男性用使い捨て吸収性物品は、請求項１記載の男性用使い捨て吸収性物品において、吸収体には略円錐形状に保持した吸収性物品本体の拡開側に位置する幅方向の側縁の略中央部に切り欠き凹部を形成し、この切り欠き凹部に臨ませて前記吸収性物品本体に切り込み部を形成したものである。
【００１２】
そして、吸収性物品本体にて覆われた男性器官は吸収体に接近され、尿漏れがより確実に防止される。
【００１３】
請求項３記載の発明の男性用使い捨て吸収性物品は、請求項１または２記載の男性用使い捨て吸収性物品において、フラップ部は、吸収性物品本体の吸収体の幅方向両外側に長手方向に沿って形成した第１のフラップとこの第１のフラップの上側に配設された第２のフラップを含み、この第２のフラップに切り込みを形成したものである。
【００１４】
そして、略円錐形状に保形した吸収性物品本体を装着した状態で第２のフラップが尿を堰き止め、吸収性物品本体から尿漏れを防止できる。
【００１５】
請求項４記載の発明の男性用使い捨て吸収性物品は、請求項１ないし３のいずれかに記載の男性用使い捨て吸収性物品において、吸収性物品本体の不透液性裏面シートは合成樹脂フィルムの外面側に不織布を重合したものである。
【００１６】
そして、吸収性物品本体の吸収体の下側から滲み出た尿が合成樹脂フィルムによって漏れることがなく、また、不織布により肌触りが良好に保持できる。
【００１７】
【発明の実施の形態】
次に、本発明の男性用使い捨て吸収性物品の一実施の形態の構成を図１に基いて説明する。
【００１８】
図１において、１は吸収性物品本体で、この吸収性物品本体１は、液透過性を有する透液性表面シート２と、液不透過性を有する不透液性裏面シート３と、この透液性表面シート２と不透液性裏面シート３との間に配設された液吸収性を有する吸収体４とを有し、この吸収性物品本体１は、展開状態で長手方向の中央部を中心として略線対称に形成するとともに、幅方向の中央部を中心として線対称の左右対称に形成されて略細長矩形状となっている。
【００１９】
また、前記吸収体４は、長手方向の中央部を中心として略線対称に形成するとともに、幅方向の中央部を中心として線対称の形状で細長矩形形状に形成されている。
【００２０】
そして、前記透液性表面シート２は、尿を前記吸収体４へ透過できるように液透過性を有し、例えば、織布、不織布、多孔性フィルム、合成繊維などにて吸収性物品本体１の全表面を覆う形状に成形されている。
【００２１】
また、前記不透液性裏面シート３は、上面周縁部が前記透液性表面シート２の下面周辺部に接着剤などで接合されている。この不透液性裏面シート３は、尿が透過できない液不透過性を有し、例えばポリエチレン樹脂のようなポリオレフィンなどの合成樹脂フィルムにて成形されている。
【００２２】
また、前記吸収体４は、前記透液性表面シート２の下面中央部と前記不透液性裏面シート３の上面中央部との間に扁平状で、吸収性物品本体１の少なくとも長手方向中央域を含む位置に配設し、この吸収体４は、尿を吸収できる、例えばパルプを主材料として一部に高分子吸収体などの物質を含んだ材料にて形成されている。
【００２３】
そして、前記透液性表面シート２と前記不透液性裏面シート３との前記吸収体４の幅方向における両側縁の外側に位置する部分は接着剤などにて接合されて前記吸収体４の両外側縁から延出するフラップ部５が前記吸収性物品本体１の長手方向に沿ってそれぞれ形成されている。
【００２４】
さらに、前記吸収性物品本体１の透液性表面シート２と不透液性裏面シート３の幅方向に前記吸収体４の両側縁から外側に延出されたフラップ部５には複数のゴムなどで形成された略紐状の弾性体６が前記吸収性物品本体１の長手方向に沿って前記透液性表面シート２と前記不透液性裏面シート３との間に伸長状態で配設接合され、この弾性体６にてギャザー７を形成している。
【００２５】
また、前記吸収性物品本体１にはこの略円錐形状に保持した吸収性物品本体１の拡開側に位置する前記吸収体４の幅方向の側縁より外側位置で前記フラップ部５の長手方向の略中央部にこの吸収性物品本体１の長手方向の切り込み部８が直線状に前記透液性表面シート２と前記不透液性裏面シート３とを貫通して形成されている。そして、この切り込み部８はフラップ部５に平行状に配設した複数の弾性体６の間に位置して形成している。
【００２６】
さらに、前記吸収性物品本体１の不透液性裏面シート３には、図２および図３に示すように、この吸収性物品本体１の長手方向の両端側を重ね合わせて略円錐形状に保持する固着部９が設けられている。この固着部９は吸収性物品本体１の長手方向の中央位置より一端側に偏倚した位置に設けられ、この固着部９は例えば粘着剤を塗布して形成され、粘着剤には剥離紙が貼着されている。
【００２７】
次に、上記一実施の形態の作用について説明する。
【００２８】
吸収性物品本体１を図２に示すように、先ず、長手方向の一端側を幅方向に対して傾斜状に折り曲げて透液性表面シート２が互いに対向した略三角形状に重合する。そして、粘着剤を塗布した固着部９に貼着されている剥離紙を剥離する。
【００２９】
次いで、図３に示すように、吸収性物品本体１の長手方向の他端側を先に折り込んだ一端側部分の不透液性裏面シート３にこの吸収性物品本体１の他端側の透液性表面シート２を重ね合わせるように幅方向に対して傾斜状に折り曲げて略三角形状に重合し、この他端側の透液性表面シート２を一端側の不透液性裏面シート３に剥離紙を剥がした固着部９の粘着剤に固着することにより吸収性物品本体１はこの吸収性物品本体の長手方向に沿った一側縁が拡開し他端縁が閉じられた略円錐形状に保持される。
【００３０】
そして、この略円錐形状に保形された吸収性物品本体１の拡開側に形成されているフラップ部５の長手方向の略中央部に形成されている切り込み部８に吸収性物品本体１の外側から内方に向けて男性器官を挿通して略円錐形状に保形された吸収性物品本体１内に位置させ、この吸収性物品本体１にて男性器官を覆う状態で装着することができ、また、吸収性物品本体１は位置ずれすることがなく、尿の漏れを確実にできる。
【００３１】
また、吸収性物品本体１のフラップ部５に形成した切り込み部８は複数の弾性体６の間に位置して形成されているので、切り込み部８に挿通された男性器官は弾性体６で挟まれ、吸収性物品本体１は位置ずれすることがなく、確実に装着位置に保持され、位置ずれによる尿漏れが防止される。
【００３２】
さらに、吸収性物品本体１のフラップ部５には弾性体６が配設されているため、このフラップ部５は皺状のギャザー７となって男性器官に柔らかく接触して保持される。
【００３３】
そして、尿は吸収性物品本体１の透液性表面シート２から拡散されて吸収体４に吸収され、また、尿は不透液性裏面シート３により吸収性物品本体１から漏れ出ることがない。
【００３４】
次に他の実施の形態を図４に基いて説明する。
【００３５】
この実施の形態は、図１に示す実施の形態において、吸収体４には略円錐形状に保持した吸収性物品本体１の拡開側に位置する幅方向の側縁の略中央部に切り欠き凹部10を形成し、この切り欠き凹部10に臨ませて前記吸収性物品本体１のフラップ部５に切り込み部８を形成した構成で、他の構成は前記実施の形態と同一である。
【００３６】
この実施の形態の作用を説明する。
【００３７】
前記実施の形態と同様に、吸収性物品本体１を図２に示すように、長手方向の一端側を幅方向に対して傾斜状に折り曲げて透液性表面シート２が互いに対向した略三角形状に重合する。次いで、図３に示すように、吸収性物品本体１の長手方向の他端側を先に折り込んだ一端側部分の不透液性裏面シート３にこの吸収性物品本体１の他端側の透液性表面シート２を重ね合わせるように幅方向に対して傾斜状に折り曲げて略三角形状に重合し、この他端側の透液性表面シート２を一端側の不透液性裏面シート３に固着部９に固着することにより吸収性物品本体１はこの吸収性物品本体１の長手方向に沿った一側縁が拡開し他端縁が閉じられた略円錐形状に保持される。
【００３８】
そして、この略円錐形状に保形された吸収性物品本体１の拡開側に臨んだ吸収体４の切り欠き凹部10に位置して形成されている切り込み部８に吸収性物品本体１の外側から内方に向けて男性器官を挿通して吸収性物品本体１内に男性器官を位置させて覆う状態で装着することができ、吸収性物品本体１は位置ずれすることがなく、さらに、吸収性物品本体１にて覆われた男性器官は吸収体４の切り欠き凹部10に形成した切り込み部８から挿通されているため、吸収体４に接近され、尿漏れがより確実に防止される。
【００３９】
さらに、吸収性物品本体１のフラップ部５には弾性体６が配設されているため、このフラップ部５は皺状のギャザー７となって男性器官に柔らかく接触して保持される。
【００４０】
そして、尿は吸収性物品本体１の透液性表面シート２から拡散されて吸収体４に吸収され、また、尿は不透液性裏面シート３により吸収性物品本体１から漏れ出ることがない。
【００４１】
さらに、前記図４に示す実施の形態において図５に示すように、略円錐形状に保持した吸収性物品本体１の拡開側に位置する２本の弾性体６を吸収性物品本体１の長手方向の略中央部を挟んでそれぞれ交差させ、この弾性体６が交差して弾性体６で囲まれた略楕円形状部分に切り込み部８を形成することもできる。
【００４２】
この実施の形態では、図４に示す実施の形態の作用に加えて、切り込み部８にはこの切り込み部８を締め付ける方向に弾性力が作用し、切り込み部８に挿通した男性器官から位置ずれすることなく確実に保持されので、位置ずれがなくより確実に尿漏れを防止できる。
【００４３】
また、他の実施の形態を図６および図７に基づいて説明する。
【００４４】
この実施の形態では、前記各実施の形態において、吸収性物品本体１の幅方向の両側に透液性表面シート２と不透液性裏面シート３との両側縁部で形成した第１のフラップ11と吸収体４の幅方向両外側部から吸収性物品本体１の外側縁に長手方向に沿って前記両側の第１のフラップ11上側に配設した合成樹脂シートにて形成される第２のフラップ12とを含んでフラップ部５が形成されている。そして、この第２のフラップ12は幅方向の両側縁部が第１のフラップ11に接合され、内側縁部は第１のフラップ11から遊離されている。そして、この第２のフラップ12に切り込み部８が形成され、他の構成は前記各実施の形態と同一である。
【００４５】
この実施の形態では、略円錐形状に保形した吸収性物品本体１を装着した状態で第２のフラップ12が拡開側および閉塞側で尿を堰き止め、吸収性物品本体１から尿漏れを防止できる。
【００４６】
なお、図８に示す実施の形態は、前記図６に示す実施の形態において、前記図５に示すように、略円錐形状に保持した吸収性物品本体１の拡開側に位置する２本の弾性体６を吸収性物品本体１の長手方向の略中央部を挟んでそれぞれ交差させ、この弾性体６が交差して弾性体６で囲まれた略楕円形状部分に切り込み部８を形成したものである。
【００４７】
この実施の形態では、図６に示す実施の形態の作用に加えて、切り込み部８にはこの切り込み部８を締め付ける方向に弾性力が作用し、切り込み部８に挿通した男性器官から位置ずれすることなく確実に保持される。
【００４８】
【発明の効果】
請求項１記載の発明によれば、吸収性物品本体は、この吸収性物品本体の長手方向に沿った一側縁が閉じられ他端縁が拡開した略円錐形状に保持され、この略円錐形状に保形された吸収性物品本体のフラップ部の長手方向の略中央部に形成されている切り込み部に不透液性裏面シートの外側から内方に向けて男性器官を挿通して男性器官を覆うことができ、切り込み部に挿通された男性器官は弾性体で挟まれ、吸収性物品本体は位置ずれすることがなく、確実に装着位置に保持されて位置ずれによる尿漏れの防止を確実にでき、さらに、吸収性物品本体のフラップ部には弾性体が配設されているため、このフラップ部は皺状のギャザーとなって男性器官に肌触りよく保持される。
【００４９】
請求項２記載の発明によれば、吸収性物品本体にて覆われた男性器官は吸収体に接近され、尿漏れをより確実に防止できる。
【００５０】
請求項３記載の発明によれば、略円錐形状に保形した吸収性物品本体を装着した状態で第２のフラップが尿を堰き止め、吸収性物品本体から尿漏れを防止できる。
【００５１】
請求項４記載の発明によれば、吸収性物品本体の吸収体の下側から滲み出た尿が合成樹脂フィルムによって漏れることがなく、また、不織布により肌触りが良好に保持できる。
【図面の簡単な説明】
【図１】  本発明の男性用使い捨て吸収性物品の一実施の形態を示す平面図である。
【図２】  同上男性用使い捨て吸収性物品の折り込み工程を示す説明図である。
【図３】  同上男性用使い捨て吸収性物品の折り込んだ状態を示す説明図である。
【図４】  本発明の男性用使い捨て吸収性物品の他の実施の形態を示す平面図である。
【図５】  本発明の男性用使い捨て吸収性物品の他の実施の形態を示す平面図である。
【図６】  本発明の男性用使い捨て吸収性物品の他の実施の形態を示す平面図である。
【図７】  同上縦断面説明図である。
【図８】  本発明の男性用使い捨て吸収性物品の他の実施の形態を示す平面図である。
【符号の説明】
１    吸収性物品本体
２    透液性表面シート
３    不透液性裏面シート
４    吸収体
５    フラップ部
６    弾性体
８    切り込み部
９    固着部
10    切り欠き凹部
11    第１のフラップ
12    第２のフラップ
【図１】
0003901891.tif 000002
【図２】
0003901891.tif 000003
【図３】
0003901891.tif 000004
【図４】
0003901891.tif 000005
【図５】
0003901891.tif 000006
【図６】
0003901891.tif 000007
【図７】
0003901891.tif 000008
【図８】
0003901891.tif 000009